(57)【要約】【課題】光学的可変領域およびその光学的可変領域の周辺に触知領域を有する絵像を好適に提供すること。【解決手段】透明のキャリアにある非球体、磁気作用によって整列可能な光学的ピグメント薄片（４０）が、基板に適用され、その基板に磁界を印加することによって整列される方法、およびその方法によって製作される絵像を提供する。ピグメント薄片（４０）は磁力線に沿って整列し、薄片（４６）を押し付けまたは刻み込むための道具が、薄片（４６）を再整列するために、または所望の領域から薄片を除去するために基板のサブ領域に適用される。例えば、刻み込む道具は、磁気作用によって整列された薄片（４０）に署名または他のマークを刻み込むために使われ得る。そして、薄片は硬化され、光学的および触知的特徴を有する絵像が保護される。【選択図】図４ｂ
2006248224.tif 000002
【特許請求の範囲】
【請求項１】
ａ）共に絵像を規定する、対照が際立つ見分けの付く複数の領域を有する基板を備えた絵像であって、該複数の領域の少なくとも第１の見分けの付く領域が、所定の方位を有する印加される磁界によって整列された磁性薄片を有し、
ｂ）該複数の領域の第２の見分けの付く領域が、該第１の見分けの付く領域にある薄片とは異なって配向された薄片を有し、該第１の見分けの付く領域に隣接し、
ｉ）該配向が、該第２の領域にある薄片を機械的に押し付けることによって生じ、または、
ｉｉ）該第２の領域には、該第２の領域から押し退かされることによって薄片が存在せず、
該絵像は触知できる絵像を形成し、
触知できる移行が、少なくとも該第１の見分けの付く領域と該第２の見分けの付く領域との移行を触ることによって感知される、絵像。
【請求項２】
前記磁性薄片が、入射光の角度の変化、または見る角度の変化によって色が変化する光学的可変薄片である、請求項１に記載の絵像。
【請求項３】
前記薄片の少なくとも一部が、該薄片内に溝を備える線形回折構造を有する回折薄片である、請求項１に記載される絵像。
【請求項４】
前記回折薄片の前記溝が前記印加された場に実質的に平行であり、前記基板に直角である、請求項３に記載の絵像。
【請求項５】
前記第１の、および第２の見分けの付く領域内にある前記薄片が、少なくとも２：１のアスペクト比を有する磁気薄片である、請求項１に記載の絵像。
【請求項６】
前記第１の領域内にある前記薄片が、該薄片の端に接し、前記基板に対して実質的に垂直に整列される、請求項１に記載の絵像。
【請求項７】
前記第１の領域内にある前記薄片が非光学的にアクティブであるように整列され、前記第２の領域内にある前記薄片が光学的にアクティブであるように整列される、請求項６に記載の絵像。
【請求項８】
前記第２の領域にある前記薄片が、彫り込み道具を用いて所定の形に整列される光学的可変薄片である、請求項７に記載の絵像。
【請求項９】
入射光が前記第２の領域から実質的に反射され、光が前記第１の領域によって実質的に吸収される、またはトラップされる、請求項８に記載の絵像。
【請求項１０】
前記第２の領域が前記第１の領域に対して比較的窪んでいる、請求項９に記載の絵像。
【請求項１１】
複数の光学的に見分けの付く触知できる領域を有する絵像であって、２つの隣接し合う触知できる見分けの付く領域が異なった光学的な特徴を有し、該領域のうちの１つが、該隣接する領域内にある薄片とは異なって、および異なった手段によって整列される磁性薄片を有する、絵像。
【請求項１２】
前記領域のうちの１つにある薄片が磁気作用によって整列し、磁気作用によって整列された複数の薄片に前記隣接する領域が、形成道具を用いて機械的に押し付けることによって整列される薄片のある領域である、請求項１１に記載の絵像。
【請求項１３】
共に絵像を規定する、対照が際立つ見分けの付く複数の領域を備えた絵像であって、
該複数の領域の少なくとも第１の見分けの付く領域が、所定の方位を有する印加される磁界によって整列された磁性薄片を有し、
該複数の領域の第２の見分けの付く領域が、該第１の見分けの付く領域にある薄片とは異なって配向された薄片を有し、該第１の見分けの付く領域に隣接し、
該配向が、該第２の領域にある薄片を機械的に押し付けることによって生じ、または、
該第２の領域には、道具を用いて該第２の領域から機械的に押し退かされることによって薄片が存在せず、
該絵像は触知できる絵像を形成し、
触知できる移行が、少なくとも該第１の見分けの付く領域と該第２の見分けの付く領域とのインターフェースを触ることによって感知される、絵像。
【請求項１４】
前記第２の領域にある前記薄片が、該薄片を機械的に押し付けることによって配向される以前に、前記第１の領域にある薄片と磁気作用によって整列される、請求項１３に記載の絵像。
【請求項１５】
絵像を形成する方法であって、該方法は、
基板を提供するステップと、
少なくとも該基板の第１の領域を磁性非球体薄片を用いてコーティングするステップであって、該磁性非球体薄片の各々が、実質的に平行な向かい合う第１の面および第２の面を有する、ステップと、
該第１の領域にある薄片の向かい合う面が、該基板の該第１の領域にコートされる非球体薄片を所定の方位に合わされた磁界にさらすことによって、該基板に実質的に直交するように、該第１の領域にある該磁性非球体薄片を整列するステップと、および
該第１の領域において絵像が形成されるように、サブ領域にある薄片の整列を変えるために該第１の領域のサブ領域内にある磁気作用によって配向された非球体薄片を押し付けるステップであって、該サブ領域内にある薄片が、該サブ領域外にある該第１の領域内の薄片から異なる視覚的な外見を有する、ステップと
を包含する方法。
【請求項１６】
前記コーティングするステップが、前記磁性非球体薄片を含むキャリアを用いて印刷する、ペイントする、またはスプレーすることによって行われる、請求項１５に記載の方法。
【請求項１７】
前記薄片がインクまたはペイントを形成するためのキャリア内にあり、前記押し付けるステップが、彫り込み道具の使用を含む、請求項１５に記載の方法。
【請求項１８】
絵像を形成する方法であって、該方法は、
基板を提供するステップと、
該基板の第１の領域を磁性非球体薄片を用いてコーティングするステップと、
該非球体薄片を、所定の方位に合わされた磁界にさらすことによって、該第１の領域にある該磁性非球体薄片を磁気作用によって配向するステップと、
ａ）該第１の領域において絵像が形成されるように、該サブ領域にある薄片の整列を変えるために該第１の領域の該サブ領域内にある磁気作用によって配向された非球体薄片を押し付けるステップであって、該サブ領域内にある薄片が、該サブ領域外にある該第１の領域内の薄片から異なる視覚的な外見を有する、ステップ、または
ｂ）絵像が形成されるように、サブ領域にある薄片の整列を変えるために、および／または、該第１の領域から薄片を押し退けるために、該第１の領域の該サブ領域内にある磁気作用によって配向された非球体薄片を刻み付けるステップであって、サブ領域が、サブ領域外にある第１の領域から異なる視覚的な外見を有する、ステップと
を包含する方法。
【請求項１９】
請求項１８に記載の方法によって作成された、少なくとも２つの見分けの付く領域および触知特徴を有する絵像。
【発明の詳細な説明】
【技術分野】
【０００１】
（関連出願の参照）
本発明は、米国特許出願第６０／６６０，８３７号、２００５年３月１１日出願の優先権を主張し、ここに援用する。
【０００２】
（技術分野）
本発明は、一般に、光学的可変ピグメント、フィルム、デバイスおよび絵像（ｉｍａｇｅ）に関し、特に、幻影光学的効果（ｉｌｌｕｓｉｖｅ  ｏｐｔｉｃａｌ  ｅｆｆｅｃｔ）を得るための、例えばペイントまたは印刷処理時の磁性薄片の整列（ａｌｉｇｎｉｎｇ）または配向（ｏｒｉｅｎｔｉｎｇ）に関する。
【背景技術】
【０００３】
光学的可変デバイスは、装飾的および実用的の両方の多様なアプリケーションにおいて使用される。光学的可変デバイスは、多様な効果を達成するために多数の方法で製作され得る。ホログラムのような光学的可変デバイス（ＯＶＤ）はクレジットカードおよび認証ソフトウェアドキュメンテーションに刻み込まれ、色位相絵像は紙幣に印刷される。ＯＶＤは、バイクのヘルメットおよびタイヤのカバーのようなアイテムの表面の外見を美しくする。
【０００４】
光学的可変デバイスは、プレスされ、スタンプされ、そして貼り付けられるフィルムまたはフォイルとして、そうでなければ物体に付着されるフィルムまたはフォイルとして製作され得、また、光学的可変ピグメントを用いて製作され得る。光学的可変ピグメントを用いて適切に印刷された絵像の視覚される色は、それが見られる角度および／またはそれが照らされる角度にともない変化する故、そのような光学的可変ピグメントの１つのタイプは、色変化（ｃｏｌｏｒ−ｓｈｉｆｔｉｎｇ）ピグメントと一般的に呼ばれる。一般的な例は、米国の２０ドル札の右側下部に色変化ピグメントを用い印刷されている数字の「２０」である。その色変化ピグメントを用いて印刷される数字は、偽造防止デバイスとして働く。
【０００５】
一部の偽造防止デバイスは隠されている一方、他のものは気が付かれるように隠されていない。不都合にも、気が付かれるように隠されていない一部の光学的可変デバイスは、広く周知されていない。何故なら、デバイスの光学的可変の外観が、実質的に印象的ではなく、またはその背景から区別可能ではないからである。例えば、色変化ピグメントを用いて印刷された絵像の色変化量は、均一の蛍光の天井照明の下において気付かれ得ず、しかし、直射日光または単一照明の下において気付かれる可能性が大きくあり得る。これは、受取人が光学的可変特徴を気付かなくあり得る故、または、偽造紙幣が特定の状況下において本物の紙幣と実質的に同様に見られ得る故、偽造者にとって光学的可変特徴なしの偽造紙幣を広めることを容易にさせ得る。
【０００６】
光学可変デバイスは、磁気ピグメントを用いても製作され得る。これら磁気ピグメントは、表面に（通常、インク伝達手段またはペイント伝達手段のようなキャリアにある）ピグメントが供給された後、磁界と整列され得る。しかしながら、磁気ピグメントを用いてのペイントは、大部分において装飾用として使用されている。例えば、磁気ピグメントの使用は、３次元の型が現れる装飾特徴を有するペイントカバータイヤを製作するために記述されてきた。パターンは、製品に磁界をペイント媒体がまだ液状にある状態のうちに印加することによって、ペイントされた製品の上に形成される。ペイント媒体は、磁力線に沿って整列する磁性非球形小片を分散する。場は２つの領域を有する。第１の領域は、表面に平行に配置される磁力線を含み、所望のパターンの形に整えられる。第２の領域は、ペイントされた製品の表面に平行ではない磁力線を含み、パターンの周辺に位置する。パターンを形成するために、所望のパターンの形に対応する形を有する永久磁石または電磁石は、ペイントがまだ乾いていない間にそのペイントに分散された非球形磁性小片を磁界において配向するように、ペイントされた製品の下に位置される。ペイントが乾いた時、ペイント層に入射する光線が、配向された磁性小片によって異なった影響を及ぼすのと同時に、パターンはペイントされた製品の表面において見られる。
【０００７】
同様に、フッ素ポリマーマトリクスにおいての薄片化された磁性小片のパターンの形成のための処理は、以前に説明されている。液状にある構成要素を用いた製品のコーティングの後、所望の形を有する磁石は、基板の底面下に配置される。液体有機媒体に分散された磁性薄片は、初期の平面配向から傾きながら、磁力線に並行に並ぶ。この傾きは、基板の表面に直角から初期の配向まで変化し、製品の表面に実質的に平行である薄片（ｆｌａｋｅ）をも含む。平面配向薄片は、見る人に入射光を反射し返す一方、再配向薄片は反射し返さず、コーティングの３次元パターンの出現を提供する。
【０００８】
背景従来技術として、本明細書にて援用されるＲａｋｓｈａ等の名前で２００５年５月１９日に公表され、ＪＤＳ  Ｕｎｉｐｈａｓｅ  Ｃｏｒｐｏｒａｔｉｏｎに譲受された米国特許出願第２００５０１０６３６７号は、光学的可変薄片（ｏｐｔｉｃａｌｌｙ  ｖａｒｉａｂｌｅ  ｆｌａｋｅ）のような磁性薄片を配向するための方法と装置を記載する。
【０００９】
視覚的に魅力があり、有用な光学的効果を提供するための前記の一部の方法は、現在ではいたるところにあるが、これらのデバイスは、真正物としてより認識されることを可能にするために強化および付加的な特徴を必要とする。例えば、さらなる付加的なセキュリティー特徴を提供する性能を有することが好ましい。
【００１０】
例えば、色変化に関する磁気作用によって整列された薄片およびそれに関する光学的特徴を含む、入射光角の変化または見るときの角度の変化に伴う色変化を提供するセキュリティー装置を有することは、非常に望ましい。そして、適切な量の感度を有するそのような装置を提供することは、非常に有用である。また、機能性の面において異なる装置領域間において重要なコントラスト、および区切りがある場合、そのような装置は好まれる。例えば、浮き出した領域に直接隣接する薄膜色変化薄片における、磁気作用によって整列された領域は、磁気作用によって異なって整列された２つの隣接する領域では実現不可能である利点を提供し得る。
【発明の開示】
【発明が解決しようとする課題】
【００１１】
本発明の目的は、絵像の複数のコントラスト、見分けられる領域を形成するための方法を提供することであり、少なくとも１つの領域は、所定の配向を有する印加磁界によって整列される磁性薄片を含み、第１の見分けられる領域に隣接するもう一方の見分けられる領域は、薄片を有するか、あるいは、薄片を機械的に押し付けることによって、または第２の領域から薄片を押し動かすことによって薄片の存在を有さない。
【００１２】
本発明の目的は、触知絵像を提供することであり、触知移行（ｔａｃｔｉｌｅ  ｔｒａｎｓｉｔｉｏｎ）は、少なくとも第１の見分けの付く領域と第２の見分けの付く領域との間の移行を触ることによって触知され得る。
【００１３】
本発明の目的は、目の不自由な人が紙幣またはドキュメントの真正性を確認することを助ける触知性質を有する紙幣、またはセキュリティードキュメントを提供することである。
【００１４】
本発明の目的は、光学的可変領域およびその光学的可変領域の周辺に触知領域を有する絵像を提供することである。
【課題を解決するための手段】
【００１５】
本発明に従い、絵像が提供され、その絵像は、
ａ）共に絵像を規定する、対照が際立つ見分けの付く複数の領域（ｃｏｎｔｒａｎｓｔｉｎｇ  ｄｉｓｃｅｒｎｉｂｌｅ  ｒｅａｇｉｏｎ）を有する基板を備えた絵像であって、該複数の領域の少なくとも第１の見分けの付く領域が、所定の方位を有する印加される磁界によって整列された磁性薄片を有し、
ｂ）該複数の領域の第２の見分けの付く領域が、該第１の見分けの付く領域にある薄片とは異なって配向された薄片を有し、該第１の見分けの付く領域に隣接し、
ｉ）該配向が、該第２の領域にある薄片を機械的に押し付けることによって生じ、または、
ｉｉ）該第２の領域には、該第２の領域から押し退かされることによって薄片が存在せず、
該絵像は触知できる絵像を形成し、
触知できる移行が、少なくとも該第１の見分けの付く領域と該第２の見分けの付く領域との移行を触ることによって感知される。
【００１６】
本発明に従い、絵像をさらに提供し、その絵像は、複数の光学的に見分けの付く触知できる領域を有する絵像であって、２つの隣接し合う触知できる見分けの付く領域が異なった光学的な特徴を有し、領域の１つが、隣接する領域内にある薄片とは異なり、異なった手段によって整列される磁性薄片を有する。
【００１７】
本発明に従い、絵像が提供される。その絵像は、
共に絵像を規定する、対照が際立つ見分けの付く複数の領域を備えた絵像であって、
複数の領域の少なくとも第１の見分けの付く領域が、所定の方位を有する印加される磁界によって整列された磁性薄片を有し、
複数の領域の第２の見分けの付く領域が、第１の見分けの付く領域にある薄片とは異なって配向された薄片を有し、第１の見分けの付く領域に隣接し、
配向が、第２の領域にある薄片を機械的に押し付けることによって生じ、または、
第２の領域には、道具を用いて第２の領域から機械的に押し退かされることによって薄片が存在せず、
絵像は触知できる絵像を形成し、
触知できる移行が、少なくとも第１の見分けの付く領域と第２の見分けの付く領域とのインターフェースを触ることによって感知される。
【００１８】
本発明の他の側面に従い、絵像を形成する方法が提供される。その方法は、基板を提供するステップと、基板の第１の領域を磁性非球体薄片を用いてコーティングするステップと、非球体薄片を、所定の方位に合わされた磁界にさらすことによって、第１の領域にある磁性非球体薄片を磁気作用によって配向するステップと、
ａ）第１の領域において絵像が形成されるように、サブ領域にある薄片の整列を変えるために第１の領域のサブ領域内にある磁気作用によって配向された非球体薄片を押し付けるステップであって、サブ領域内にある薄片が、サブ領域外にある第１の領域内の薄片から異なる視覚的な外見を有する、ステップ、または
ｂ）絵像が形成されるように、サブ領域にある薄片の整列を変えるために、および／または、第１の領域から薄片を押し退けるために、第１の領域のサブ領域内にある磁気作用によって配向された非球体薄片を刻み付ける（ｓｃｒｉｂｉｎｇ）ステップであって、サブ領域がサブ領域外にある第１の領域から異なる視覚的な外見を有する、ステップとを包含する。
【００１９】
本発明は、さらに以下の手段を提供する。
（項目１）  
ａ）共に絵像を規定する、対照が際立つ見分けの付く複数の領域を有する基板を備えた絵像であって、該複数の領域の少なくとも第１の見分けの付く領域が、所定の方位を有する印加される磁界によって整列された磁性薄片を有し、
ｂ）該複数の領域の第２の見分けの付く領域が、該第１の見分けの付く領域にある薄片とは異なって配向された薄片を有し、該第１の見分けの付く領域に隣接し、
ｉ）該配向が、該第２の領域にある薄片を機械的に押し付けることによって生じ、または、
ｉｉ）該第２の領域には、該第２の領域から押し退かされることによって薄片が存在せず、
該絵像は触知できる絵像を形成し、
触知できる移行が、少なくとも該第１の見分けの付く領域と該第２の見分けの付く領域との移行を触ることによって感知される、絵像。
（項目２）
上記磁性薄片が、入射光の角度の変化、または見る角度の変化によって色が変化する光学的可変薄片である、項目１に記載の絵像。
（項目３）
上記薄片の少なくとも一部が、該薄片内に溝を備える線形回折構造を有する回折薄片である、項目１に記載される絵像。
（項目４）
上記回折薄片の上記溝が上記印加された場に実質的に平行であり、上記基板に直角である、項目３に記載の絵像。
（項目５）
上記第１の、および第２の見分けの付く領域内にある上記薄片が、少なくとも２：１のアスペクト比を有する磁気薄片である、項目１に記載の絵像。
（項目６）
上記第１の領域内にある上記薄片が、該薄片の端に接して、上記基板に対して実質的に垂直に整列される、項目１に記載の絵像。
（項目７）
上記第１の領域内にある上記薄片が非光学的にアクティブであるように整列され、上記第２の領域内にある上記薄片が光学的にアクティブであるように整列される、項目６に記載の絵像。
（項目８）
上記第２の領域にある上記薄片が、彫り込み道具（ｅｎｇｒａｖｉｎｇ  ｔｏｏｌ）を用いて所定の形に整列される光学的可変薄片である、項目７に記載の絵像。
（項目９）
入射光が上記第２の領域から実質的に反射され、光が上記第１の領域によって実質的に吸収される、またはトラップされる、項目８に記載の絵像。
（項目１０）
上記第２の領域が上記第１の領域に対して比較的窪んでいる、項目９に記載の絵像。
（項目１１）
複数の光学的に見分けの付く触知できる領域を有する絵像であって、２つの隣接し合う触知できる見分けの付く領域が異なった光学的な特徴を有し、該領域のうちの１つが、該隣接する領域内にある薄片とは異なって、および異なった手段によって整列される磁性薄片を有する、絵像。
（項目１２）
上記領域のうちの１つにある薄片が磁気作用によって整列し、磁気作用によって整列された複数の薄片に上記隣接する領域が、形成道具を用いて機械的に押し付けることによって整列される薄片のある領域である、項目１１に記載の絵像。
（項目１３）
共に絵像を規定する、対照が際立つ見分けの付く複数の領域を備えた絵像であって、
該複数の領域の少なくとも第１の見分けの付く領域が、所定の方位を有する印加される磁界によって整列された磁性薄片を有し、
該複数の領域の第２の見分けの付く領域が、該第１の見分けの付く領域にある薄片とは異なって配向された薄片を有し、該第１の見分けの付く領域に隣接し、
該配向が、該第２の領域にある薄片を機械的に押し付けることによって生じ、または、
該第２の領域には、道具を用いて該第２の領域から機械的に押し退かされることによって薄片が存在せず、
該絵像は触知できる絵像を形成し、
触知できる移行が、少なくとも該第１の見分けの付く領域と該第２の見分けの付く領域とのインターフェースを触ることによって感知される、絵像。
（項目１４）
上記第２の領域にある上記薄片が、該薄片を機械的に押し付けることによって配向される以前に、上記第１の領域にある薄片と磁気作用によって整列される、項目１３に記載の絵像。
（項目１５）
絵像を形成する方法であって、該方法は、
基板を提供するステップと、
少なくとも該基板の第１の領域を磁性非球体薄片を用いてコーティングするステップであって、該磁性非球体薄片の各々が、実質的に平行な向かい合う第１の面および第２の面を有する、ステップと、
該第１の領域にある薄片の向かい合う面が、該基板の該第１の領域にコートされる非球体薄片を所定の方位に合わされた磁界にさらすことによって、該基板に実質的に直交するように、該第１の領域にある該磁性非球体薄片を整列するステップと、および
該第１の領域において絵像が形成されるように、サブ領域にある薄片の整列を変えるために該第１の領域のサブ領域内にある磁気作用によって配向された非球体薄片を押し付けるステップであって、該サブ領域内にある薄片が、該サブ領域外にある該第１の領域内の薄片から異なる視覚的な外見を有する、ステップと
を包含する方法。
（項目１６）
上記コーティングするステップが、上記磁性非球体薄片を含むキャリアを用いて印刷する、ペイントする、またはスプレーすることによって行われる、項目１５に記載の方法。
（項目１７）
上記薄片がインクまたはペイントを形成するためのキャリア内にあり、上記押し付けるステップが、彫り込み道具の使用を含む、項目１５に記載の方法。
（項目１８）
絵像を形成する方法であって、該方法は、
基板を提供するステップと、
該基板の第１の領域を磁性非球体薄片を用いてコーティングするステップと、
該非球体薄片を、所定の方位に合わされた磁界にさらすことによって、該第１の領域にある該磁性非球体薄片を磁気作用によって配向するステップと、
ａ）該第１の領域において絵像が形成されるように、該サブ領域にある薄片の整列を変えるために該第１の領域の該サブ領域内にある磁気作用によって配向された非球体薄片を押し付けるステップであって、該サブ領域内にある薄片が、該サブ領域外にある該第１の領域内の薄片から異なる視覚的な外見を有する、ステップ、または
ｂ）絵像が形成されるように、サブ領域にある薄片の整列を変えるために、および／または、該第１の領域から薄片を押し退けるために、該第１の領域の該サブ領域内にある磁気作用によって配向された非球体薄片を刻み付けるステップであって、サブ領域が、サブ領域外にある第１の領域から異なる視覚的な外見を有する、ステップと
を包含する方法。
（項目１９）
項目１８に記載の方法によって作成された、少なくとも２つの見分けの付く領域および触知特徴を有する絵像。
【００２０】
（摘要）
透明のキャリアにある非球体、磁気作用によって整列可能な光学的ピグメント薄片が、基板に適用され、その基板に磁界を印加することによって整列される方法、およびその方法によって製作される絵像を提供する。ピグメント薄片は磁力線に沿って整列し、薄片を押し付けまたは刻み込むための道具が、薄片を再整列するために、または所望の領域から薄片を除去するために基板のサブ領域に適用される。例えば、刻み込む道具は、磁気作用によって整列された薄片に署名または他のマークを刻み込むために使われ得る。そして、薄片は硬化され、光学的および触知的特徴を有する絵像が保護される。
【発明を実施するための最良の形態】
【００２１】
本発明の例示的実施形態が、添付の図面と共にこれより記載される。
【００２２】
凹版印刷としても知られるインタリオ印刷は、絵像を形成するための十分に認められた方法である。インタリオ印刷は、光学的可変干渉デバイス（ＯＶＩＤ）を印刷するためにも使用され得る。本発明の方法に従い、図１は、インタリオ印刷プレートプレス１２内のインク１０を示し、図２は、図１に示される印刷プレスを用いて印刷されることによって形成される結果基板２０を示す。本発明の一つの重要な特徴は、印加された重い印刷圧力の結果生じた基板の浮き出しによって形成される触覚である。インクは、流体キャリア内に懸濁された光学的可変薄片から形成され得る。光学的可変小片を含むインクは、Ｐｈｉｌｌｉｐｓ等によっての米国特許第５，０５９，２４５号および第５，１７１，３６３号において記載され、周知である。インタリオ印刷処理を用いてそのようなＯＶインクを使用する場合、最終的な絵像は、印刷プレートの彫り込まれた範囲に対応する印刷の盛り上がった範囲においてのみインクを含む。
【００２３】
図３は、基板から若干盛り上がる印刷された絵像３０を示す。光学的可変インクが基板に加えられ得る方法は多数ある。想像され得るものと反し、通常、印刷ヘッドまたは印刷プレスが離されると、キャリア内にある薄片は不配向（ｄｉｓｏｒｉｅｎｔｅｄ）になり、薄片３３の多くは基板と平行にならない。従って、単に印刷をすることによっては、印刷インク内の薄片の配向は非常にわずかにしか制御されない。薄片の配向制御を可能にすることは、絵像の設計および製作の手段を提供する。光学的効果は、薄片の配向に依存し、そのため、多大な努力がピグメント薄片の配向制御手段を提供することに捧げられてきた。
【００２４】
図４ａを参照に、本発明の第１の実施形態が示される。第１の実施形態において、印刷処理によって供給された磁性薄片は、フレキソ印刷、インタリオ凸版印刷、リソオフセットプレス、シルクスクリーン、またはグラビア印刷においての使用に特に順応される。磁性薄片は、基板に対して直角に立つように、先ず、磁気作用によって整列される。次に、図示されるように、直立した薄片４０が配向位置において硬化する前に、彫り込み道具４３が適用される。それにより、一部の直立する薄片は、再配向を強いられ、その道具の面に対してわずかなピッチで平らにされる。本質的に、薄片は、道具の接触している表面に実質的に従う配向に置かれる。従って、道具の各々の面にある大部分の薄片は、基板に対して直立を保ち、彫り込み道具の直下および周辺にある薄片は、基板に対して平行またはわずかに傾く。図４ｂにおいて示されるこの視覚光学的効果は、視覚的に魅力がある。直立する薄片４０は、非光学的（ｎｏｎ−ｏｐｔｉｃａｌｌｙ）にアクティブであり、黒く現れる。彫り込み道具４３によって再配向された薄片４６は、設計された光学的効果を際立たす。光学的可変（ＯＶ）薄片が使用される場合、ＯＶ効果は、薄片が再配向され直立していない場所において気付かれる。薄片が複数層ＯＶ薄片であるか、回折薄片であるかに関らず、基板に対して薄片の平面側が直角に直立する場合、見る人にとって薄片は黒く現れる。
【００２５】
図４ｃは、本発明の他の実施形態を示す。その実施形態において、彫り込み道具４８は、道具が基板に接触する際、大半または全ての高アスペクト比の薄片を排除するように構成される。彫り込まれる範囲４９の下部は、彫り込み絵像を形成するために使用された道具の深さ、圧力、および、形または材料によって、インクを含み得るか、含み得ない。示されるこの実施形態において、彫り込み道具４８は、平らな下部を有し、その下にあるインクの大半を除外させるくさび形の面を有する。図４ｄにおいて、インクが存在しない場所に隣接する領域にて、つまり、インクが退去させられた領域において、薄片は光学的にアクティブである。しかしながら、基板に対して直立する薄片４５は、黒く現れ、非光学的にアクティブである。
【００２６】
図４ａおよび図４ｃの処理によって形成された絵像は、高い触知度を有する。ユーザは、盛り上がった非光学的にアクティブな領域から、薄片が光学的にアクティブな領域への移行を感じることができる。この追加的な特徴は、それが付着したデバイスのセキュリティーの強化を提供する。さらに、この感度は、目の不自由な人が紙幣またはセキュリティードキュメントのような物を確認する際、または認証する際に区別可能であるという特徴として特に有用である。
【００２７】
凸版印刷、スクリーン、フレキソ、パッド印刷、インクジェットのような他の印刷処理は、存在し得、触知度は乾いたインク層の最終的な厚さに基いて変化する。
【００２８】
図５はシステムを示す。そのシステムにおいて、基板は、永久磁石の下に置かれ、中心に向かう力線は、薄片が基板に平行になるように整列させるために用いられる。
【００２９】
図６は、本発明に従う絵像の白黒写真である。その絵像は、白色の背景の上に配置された直立する薄片の暗い背景の近くに見られる金色から緑色に変わることができる２つのシンボルを有する。
【００３０】
図７を参照すると、本発明の方法に従い形成された絵像が示される。その方法では、薄片は、基板に直角に、薄片のエッジに直立するように先ず整列される。「ＵＳＡ」の文字は、「ＵＳＡ」内に分散される薄片が基板に平行になり、直立する黒に見える薄片に直交するように、彫り込み道具を用いて彫り込まれたので、見ることが可能である。「ＵＳＡ」の文字は、彫り込み道具を用いて基板に押し付けられた故、この領域は、直立する薄片を有する領域に対して引っ込まされ、触ることによって気付くことが可能である。絵像を形成する間、薄片が所望の配向において不動なように設置されることを確実にするために標準的な硬化方法が、使用される。例えば、薄片が故意の配向を和らげたり、または緩めたりする前に、ＵＶ硬化されたペイントまたはインクが、配置された薄片を素早く硬化する手段を提供するために使用され得る。示される絵像において、明るさの弱い背景は、見る角度または照射角度によって変化する光学的可変効果を発揮しない。しかし、「ＵＳＡ」とある隣接する領域は、異なった薄片の整列のため、照射角度または見る角度によって変化する大きな光学的可変効果を提示する。
【００３１】
絵像が、印刷された絵像の盛り上がった領域からのある程度の触知を表し得る標準的な印刷されたデバイスと対比して、このセキュリティーデバイスの触知は、明るさの弱い背景に彫り込まれた特別な光学的効果領域に起因する。
【００３２】
この明細書を通して、印加された磁界という用語は、磁力線に沿って磁性薄片を整列するのに充分な磁界を提供することを意味する。これは、インクが適用された、またはペイントされた基板を磁石の近くまたはそれに隣接することによって達成され得、また、磁界を生成し、その場に薄片をさらす手段を提供することによっても、達成され得る。
【００３３】
機械的に薄片を押し付けることは、彫り込み道具、ペン、または鉛筆、または任意の型の機械的手段を用いて薄片を押し付けることにより実施され得る。それらの手段は、薄片を横に押しのけ、または横に払いのけ得、または、基板に対して実質的に直角に直立していた薄片の位置から異なった配向に薄片を機械的に強いる。機械的に押し付けるという用語は、ターゲット領域内において磁気作用によって整列された薄片を拭い去ることも含む。
【００３４】
例えば、薄片が基板に対して直立に磁界によって配向される後、図８に示されるような背景から視覚的、および触覚的に区別可能な字、または署名を刻み込むためにペンまたは鉛筆を使用し得る。ペンおよび鉛筆の両者とも、薄片上のそれらがたどった経路において薄片を平らにし、その同じ経路から一部の薄片を動かし得る。
【００３５】
背景から窪み、背景から視覚的に区別ができる署名であって、色変化特徴がその署名と関連するそのような署名を提供することは、セキュリティー強化の分野において重要な利点を提供する。
【００３６】
図８に示す絵像を実現化することに加え、ローリングバー作用（ｒｏｌｌｉｎｇ  ｂａｒ  ａｆｆｅｃｔ）または他の光学的作用は、硬化が行われる前にシンプルに追加的なステップを加えることによって盛り込まれ得る。
【００３７】
図１０を参照し、絵像は、薄片の背景にペン、鉛筆または刻みつけ道具を用いての署名を有し、それによって薄片を平らにし、または署名領域から薄片を除去する。好ましくは、この署名刻み込みステップの後、または他の道具で細工された特徴のステップの後、ローリングバー作用が付け加えられても良い。署名の周辺の薄片がローリングバーを形成するために整列するように、刻み込まれた絵像を磁界に置くことによってこれは達成される。ローリングバーを形成する詳細なステップは、Ｒａｋｓｈａ等による米国特許出願第２００４００５１２９７号、および米国特許出願第２００５０１０６３６７号において得られる。
【００３８】
代替的に、本発明の他の実施形態において、磁性光学的可変コーティングを基板に提供し、ローリングバーのような光学的特徴を提供するために磁界を用いることによって（例えば、１つ以上のローリングバーを形成することによって）磁性光学的可変薄片を特定の所望のパターンに整列させても良い。次に、コーティングが固くなる前に触知特徴を提供するために基板を刻み込む。
【実施例】
【００３９】
（実施例１）
次のようにして、光学的可変絵像を、７層磁性のＧｏｌｄ  ｔｏ  Ｇｒｅｅｎ  Ｏｐｔｉｃａｌ可変設計を用いて製作した。
【００４０】
１０ｎｍ  Ｃｒ／  ４  ＱＷ  ＭｇＦ２  ＠６０４ｎｍ／  ８０ｎｍ  Ａｌ／  ５０ｎｍ  Ｎｉ／  ８０ｎｍ  Ａｌ／  ４  ＱＷ  ＭｇＦ２  ＠６０４ｎｍ／  １０ｎｍ  Ｃｒ
小片のサイズの分布は、縦が１０マイクロメートルから３０マイクロメートルの間であり、厚さが１．１マイクロメートルである。
【００４１】
インクを、重量の８０％をＵＶ硬化可能シルクスクリーンインクベース、２０％をピグメントで調合した。インクを、Ｌｅｎｅｔａカードの黒白領域にシルクスクリーン印刷することによって供給した。一度インクが供給されると、彫り込みされた絵像を含まないプリントされたサンプルを、強い永久磁石の下に置いた。その磁石の極の配向を、磁束線がＬｅｎｅｔａカードの面に直角であるようにした。結果として、大量の高いアスペクト比の薄片が基板に対して直角に整列し、デバイスの暗い領域を形成した。その暗い領域は、ピグメントの整列によっての光のトラッピングによるものであり、基板の明るさに依存せずに発生する。
【００４２】
絵像を、ピグメントによって光が反射されるような手法において薄片が再整列するように制御された光圧の下において金属スタンプを用いて形成した。観測される色は、前に参照された光学干渉設計に従い金色から緑色に変化する。そして、Ｌｅｎｅｔａカードを、インクを硬化し永久にピグメントの配置を固定するために大電力のＵＶランプの下に置いた。
【００４３】
（実施例２）
次のようにして、光学的可変絵像を、７層磁性のＧｏｌｄ  ｔｏ  Ｇｒｅｅｎ  Ｏｐｔｉｃａｌ可変設計を用いて製作した。
【００４４】
１０ｎｍ  Ｃｒ／  ４  ＱＷ  ＭｇＦ２  ＠６０４ｎｍ／  ８０ｎｍ  Ａｌ／  ５０ｎｍ  Ｎｉ／  ８０ｎｍ  Ａｌ／  ４  ＱＷ  ＭｇＦ２  ＠６０４ｎｍ／  １０ｎｍ  Ｃｒ
小片のサイズの分布は、縦が１０マイクロメートルから３０マイクロメートルの間であり、厚さが１．１マイクロメートルである。
【００４５】
実施例１と同様に、インクを、重量の８０％をＵＶ硬化可能シルクスクリーンインクベース、２０％をピグメントで調合した。インクを、Ｌｅｎｅｔａカードの黒白領域にシルクスクリーン印刷することによって供給した。一度インクが供給されると、彫り込みされた絵像を含まないプリントされたサンプルを、強い永久磁石の下に置いた。その磁石の極の配向は、磁束線がＬｅｎｅｔａカードの面に直角であるようにした。
【００４６】
この実施例において、絵像は、尖筆を用いて手動的に彫り込んだ。尖筆の性質に起因し、彫り込みされた下部は、全てのインクが横に押し出されるため、インクを含まない。彫り込まれた領域の壁は、サンプルが目線から直角近くから大きな角度に傾けられる間、金色から緑色に変化する。実施例１のように、サンプルを、その後、ＵＶ硬化する。
【００４７】
（実施例３）
次のようにして、光学的可変絵像を、７層磁性のＭａｇｅｎｔａ  ｔｏ  Ｇｒｅｅｎ  Ｏｐｔｉｃａｌ可変設計を用いて製作した。
【００４８】
１０ｎｍ  Ｃｒ／  ４  ＱＷ  ＭｇＦ２  ＠６６５ｎｍ／  ８０ｎｍ  Ａｌ／  ５０ｎｍ  Ｎｉ／  ８０ｎｍ  Ａｌ／  ４  ＱＷ  ＭｇＦ２  ＠６６５ｎｍ／  １０ｎｍ  Ｃｒ
小片のサイズの分布は、縦が１０マイクロメートルから３０マイクロメートルの間であり、厚さが１．２マイクロメートルである。
【００４９】
準備方法は、実施例１において記載されたものと同様であるが、この実施例において、ハチドリの形をしたゴムのスタンプを、絵像を形成するのに使用した。この場合、絵像の色は、サンプルが目線から直角近くから大きな角度に傾けられる間、深紅色から緑色に変化する。
【００５０】
（実施例４）
次のようにして、光学的可変絵像を、７層磁性のＧｒｅｅｎ  ｔｏ  Ｂｌｕｅ回折Ｏｐｔｉｃａｌ可変設計を用いて製作した。
【００５１】
１０ｎｍ  Ｃｒ／  ４  ＱＷ  ＭｇＦ２  ＠５３０ｎｍ／  ８０ｎｍ  Ａｌ／  ５０ｎｍ  Ｎｉ／  ８０ｎｍ  Ａｌ／  ４  ＱＷ  ＭｇＦ２  ＠５３０ｎｍ／  １０ｎｍ  Ｃｒ
溝の間隔が２マイクロメートルに対応する線形グレーティング周期が５００  ｌ／ｍｍを有するフォイルを、ピグメント回折性質を発生させるように基板として使用した。小片のサイズの分布は、縦が１０マイクロメートルから３０マイクロメートルの間であり、厚さが１マイクロメートルである。
【００５２】
前の実施例の場合のように、薄片を、基板に直角に整列した。この場合、薄片は、印加された場に薄片の回折溝が平行になるようにする傾向にあり、従って、基板の面に直角である。
【００５３】
実施例２の場合のように、絵像は、尖筆を用いて手動的に彫り込んだ。
【００５４】
この実施例において、磁束線が図１０に示される所定の方向に配向されるように位置する第２の永久磁石の下にサンプルを置くことによって、エキストラな整列を、彫り込みステップの後に形成した。この第２の整列の結果として、絵像はローリングバー作用を示す。
【００５５】
（実施例５）
次のようにして、ＯＶＩＤを、７層磁性のＭａｇｅｎｔａ  ｔｏ  Ｇｒｅｅｎ  Ｏｐｔｉｃａｌ可変設計を用いて製作した。
【００５６】
１０ｎｍ  Ｃｒ／  ４  ＱＷ  ＭｇＦ２  ＠６６５ｎｍ／  ８０ｎｍ  Ａｌ／  ５０ｎｍ  Ｎｉ／  ８０ｎｍ  Ａｌ／  ４  ＱＷ  ＭｇＦ２  ＠６６５ｎｍ／  １０ｎｍ  Ｃｒ
小片のサイズの分布は、縦が１０マイクロメートルから３０マイクロメートルの間であり、厚さが１．２マイクロメートルである。
【００５７】
インクを、重量の８０％をＵＶ硬化可能シルクスクリーンインクベース、２０％をピグメントで調合した。インクを、Ｌｅｎｅｔａカードの黒白領域に、今回は、ドクターブレードを用いて供給した。先の実施例のように、一度インクが供給されると、暗い領域を形成するために基板に直角に薄片を整列するように、彫り込みされた絵像を含まないプリントされたサンプルを、強い永久磁石の下に置いた。先の実施例のように、絵像は、尖筆、ゴムのスタンプを用いて、彫り込まれた円柱ロールの下を通過させて、または彫り込まれた絵像を形成する任意の他の方法を用いて形成され得る。暗い背景の上の彫り込まれた領域は、光学的回折設計に従い深紅色から緑色へと変化する。最後に、サンプルはピグメントの位置を固定するためにＵＶ硬化される。
【００５８】
ＵＶ硬化インクを用いたが、他の硬化インクのタイプが、本発明に従い使用されてもよい。
【００５９】
勿論、多数の他の実施形態が、本発明の精神および範囲から逸脱することなく予想され得る。本発明の好ましい実施形態は、光学的可変な、磁気作用によって整列可能な薄片または小片を使用する。しかし、回折薄片または他の金属薄片のような他の光学的性質を有する磁気作用によって整列可能な薄片を用いてもよい。
【図面の簡単な説明】
【００６０】
【図１】インクが光学的可変小片を含むインクされたインタリオ印刷プレートの断面図。
【図２】図１の印刷プレートの使用後、盛り上がった部分に示される光学的可変インクを有するインタリオ印刷された絵像の図。
【図３】基板上に若干盛り上がった印刷された絵像を示す基板の側面図。
【図４ａ】インク内にある薄片が直立して磁気作用によって整列され、基板に対して実質的に直角であり、前もってインクされた基板に彫り込み道具を適用することによって形成される絵像の側面図。
【図４ｂ】図４ａにおいて描写される処理によって形成する絵像の側面図。
【図４ｃ】インク内にある薄片が直立して磁気作用によって整列され、基板に対して実質的に直角であり、彫り込み道具が道具の下からインクを除外させ、基板上においてインクがつかない部分を残し、前もってインクされた基板に彫り込み道具を適用することによって形成される絵像の側面図。
【図４ｄ】図４ｃにおいて描写される処理によって形成する絵像の側面図。
【図５】本発明に従い、印刷された基板の面に直角に薄片を整列するために永久磁石の下に置かれる薄片を有する基板を示す図。
【図６】本発明に従う絵像の白黒写真である。絵像は、金色から緑色に変わることができる２つのシンボルを有し、その２つのシンボルは、白色の背景の上に配置された直立する薄片の暗い背景に隣接し、示される。
【図７】文字「ＵＳＡ」が浮き出す暗い部分および比較的明るい部分を有する白黒写真である。浮き出した文字は、入射光の角度または見られる角度に依存して金色から緑色へと色を変化させる。
【図８】背景が直立する薄片である黒であり、入射光の角度または見られる角度に依存して金色から緑色になる署名の刻まれた絵像の写真である。
【図９】図８に示された写真と同様に刻まれた絵像の写真であるが、ローリングバー作用を発生するように、刻まれた絵像を磁界に導入する追加的なステップが付け加えられた。
【図１０】ローリングバー作用を提供するための磁界を示す図。
【符号の説明】
【００６１】
１０  インク
３３  薄片
４０  直立した薄片
４３  彫りこみ道具
４６  再配向された薄片
【図１】
2006248224.tif 000003
【図２】
2006248224.tif 000004
【図３】
2006248224.tif 000005
【図４ａ】
2006248224.tif 000006
【図４ｂ】
2006248224.tif 000007
【図４ｃ】
2006248224.tif 000008
【図４ｄ】
2006248224.tif 000009
【図５】
2006248224.tif 000010
【図６】
2006248224.tif 000011
【図７】
2006248224.tif 000012
【図８】
2006248224.tif 000013
【図９】
2006248224.tif 000014
【図１０】
2006248224.tif 000015